(57)【特許請求の範囲】
【請求項１】
本体ケース側の嵌合穴に挿入されるヒンジピンを介して便座と便蓋とを本体ケースに回動支持してなる便座装置において、便座及び便蓋の各ヒンジ部穴を貫通するヒンジピンの一部に、便座のヒンジ部穴又は便蓋のヒンジ部穴のいずれか一方が嵌り込む段落ち溝を形成してなることを特徴とする便座装置。
【請求項２】
ヒンジピンの一部に、便蓋が開状態で且つ便座が閉状態のときに上方に向く平面部を形成し、この平面部に段落ち溝を形成したことを特徴とする請求項１記載の便座装置。
【請求項３】
平面部がヒンジピンの２面以上に対称的に形成されていることを特徴とする請求項２記載の便座装置。
【発明の詳細な説明】
【０００１】
【発明の属する技術分野】
本発明は、便座装置に関し、詳しくは便座装置のヒンジ部構造および形状に関するものである。
【０００２】
【従来の技術】
図６、図７は、従来のヒンジピン式温水洗浄便座４の全体図を示している。便座４と便蓋５は、本体ケース２に取り付けたダンパー装置２０の嵌合穴２１に挿入されているヒンジピン３′を介して本体ケース２に対して回動支持している。このヒンジピン３′を抜き差しすることによって、便座４、便蓋５の取り付け、取り外しができるようになっている。
【０００３】
本体ケース２は本体上ケース２ａと本体下ケース２ｂとからなり、本体下ケース２ｂの左右２箇所に、便座４用ダンパー装置２０と便蓋５用ダンパー装置２０とが固定されている。図７において、一方のヒンジピン３′は便座４の向かって左側のヒンジ部穴６ａから便蓋５の左側のヒンジ部穴７ａを貫通して左側の便座４用ダンパー装置２０の嵌合穴２１に挿入されている。また、他方のヒンジピン３′は便座４の向かって右側のヒンジ部穴６ｂから便蓋５の右側のヒンジ部穴７ｂを貫通して右側の便蓋５用ダンパー装置２０の嵌合穴２１に挿入されている。便座４の左側のヒンジ部穴６ａは断面Ｄカット形状、右側のヒンジ部穴６ｂは丸穴形状である。また、便蓋５の右側のヒンジ部穴７ｂは断面Ｄカット形状、左側のヒンジ部穴７ａは丸穴形状である。これにより、便蓋５の回転は右側の便蓋５用ダンパー装置２０のみに伝わり、便座４の回転は左側の便座４用ダンパー装置２０のみに伝わるようになっている。
【０００４】
ところで、上記各ヒンジピン３′はそれぞれダンパー装置２０の嵌合穴２１に挿入されているにすぎないので、便座４に使用者が座った場合の振動、衝撃等により、次第に抜けてくることがある。そこで、従来ではヒンジピン３′の抜け防止として、便座４のヒンジ部に抜け止めバネ２２を装着し、さらに抜け止めバネ２２を抜け止めバネ固定ネジ２３で固定しており、これにより、ヒンジピン３′はある力以上でないと抜けない様になっている。
【０００５】
このため従来では抜け止めバネ２２と抜け止めバネ固定ネジ２３とがそれぞれ必要となり、部品点数が増加して組み立てに手間がかかるうえに、コストが高くつくという問題があった。
【０００６】
【発明が解決しようとする課題】
本発明は上記の点に鑑みてなされたものであり、その目的とするところは、従来のような抜け止めバネがなくても、簡単に外れてこないヒンジピンを備えた便座装置を提供するにある。
【０００７】
【課題を解決するための手段】
上記課題を解決するために本発明は、本体ケース２側の嵌合穴２１に挿入されるヒンジピン３を介して便座４と便蓋５とを本体ケース２に回動支持してなる便座装置において、便座４及び便蓋５の各ヒンジ部穴６，７を貫通するヒンジピン３の一部に、便座４のヒンジ部穴６又は便蓋５のヒンジ部穴７のいずれか一方が嵌り込む段落ち溝８を形成してなることを特徴としており、このように構成することで、便座４のヒンジ部穴６又は便蓋５のヒンジ部穴７の一方が段落ち溝８内に嵌り込むことによって、ヒンジピン３が容易に抜け出ないようにすることができる。またヒンジピン３を外す場合は、便座４、便蓋５のうちの段落ち溝８に嵌合している方を少し持ち上げてヒンジピン３を引くだけで簡単に外すことができる。
【０００８】
また上記ヒンジピン３の一部に、便蓋５が開状態で且つ便座４が閉状態のときに上方に向く平面部１０を形成し、この平面部１０に段落ち溝８を形成するのが好ましく、この場合、便蓋５を開き、便座４に座ったときに、便蓋５のヒンジ部穴７又は便座４のヒンジ部穴６のいずかが平面部１０に設けた段落ち溝８内に嵌り易くなり、しかも平面部１０によって段落ち溝８の溝幅寸法が広くなり、段落ち溝８とヒンジ部穴６又は７との嵌合強度を高めることができる。
【０００９】
また上記平面部１０がヒンジピン３の２面以上に対称的に形成されているのが好ましく、この場合、ヒンジピン３を上下どちらの方向に向けて挿入しても、便蓋５を開き、便座４に座ったときにはヒンジピン３の２面以上に設けた平面部１０のどれかが上向きとなり、便蓋５のヒンジ部穴７又は便座４のヒンジ部穴６のいずれかが平面部１０に設けた段落ち溝８内に確実に嵌り込むようになり、ヒンジピン３の取り付けミスをなくすことができる。
【００１０】
【発明の実施の形態】
以下、本発明の実施の形態を説明すると、本実施形態の便座装置１は、本体ケース２に便座４、便蓋５をヒンジピン３により取り付け、これを抜き差しして、便座４、便蓋５を取り外し、取り付けする方式である。本体ケース２は本体上ケース２ａと本体下ケース２ｂとからなり、従来と同様、本体下ケース２ｂの左右２箇所に、便座４用ダンパー装置２０と便蓋５用ダンパー装置２０とが固定されている。図１において、一方のヒンジピン３は便座４の向かって左側のヒンジ部穴６ａから便蓋５の左側のヒンジ部穴７ａを貫通して左側の便座４用ダンパー装置２０の嵌合穴２１に挿入されている。また、他方のヒンジピン３は便座４の向かって右側のヒンジ部穴６ｂから便蓋５の右側のヒンジ部穴７ｂを貫通して右側の便蓋５用ダンパー装置２０の嵌合穴２１に挿入されている。便座４の左側のヒンジ部穴６ａは断面Ｄカット形状、右側のヒンジ部穴６ｂは丸穴形状である。また、便蓋５の右側のヒンジ部穴７ｂは断面Ｄカット形状、左側のヒンジ部穴７ａは丸穴形状である。これにより、便蓋５の回転は右側の便蓋５用ダンパー装置２０のみに伝わり、便座４の回転は左側の便座４用ダンパー装置２０のみに伝わり、便座４を閉める時にこの重量を一方のヒンジピン３を介して便座４用ダンパー装置２０に伝えることができるので、ゆっくりと閉めることができるようになる。なお便蓋５の場合も同様である。ここまでは従来例と同様である。またダンパー装置２０としては、便座４、便蓋５を閉じるときに抵抗がかかってゆっくりと閉じることができ、開くときには抵抗がかからずに速く開くことができるように、１方向のみの制動作用を有しているもの、例えば油圧式のダンパーを用いることができる。
【００１１】
図２及び図３はヒンジピン３の一例を示している。本例のヒンジピン３のピン本体部９の一部には、一段低い溝形状の段落ち溝８が設けられており、便蓋５のヒンジ部１２に設けたヒンジ部穴７、又は便座４のヒンジ部１１に設けたヒンジ部穴６のいずれか一方が段落ち溝８に嵌り込むようにしてある。本例では便蓋５のヒンジ部穴７が段落ち溝８に落ち込むようになっている。図３に示すように、段落ち溝８は、便座４、便蓋５を本体ケース２に装着した時に、便蓋５のヒンジ部穴７に位置する場所であって且つヒンジ部穴７の幅以上の幅を有している。つまり、便蓋５のヒンジ部穴７の幅Ｌ1よりも段落ち溝８の溝幅Ｌ2の方を大きくしてある。さらに、便蓋５のヒンジ部穴７の穴径Ｄ1をヒンジピン３の外径Ｄ2よりも大きくしてある。これにより、便蓋５のヒンジ部穴７が段落ち溝８内に対して容易に抜け出ないようになっている。
【００１２】
しかして、便座４及び便蓋５の各ヒンジ部１１，１２を貫通するピン本体部９に一段低い溝形状の段落ち溝８を設けてあるので、従来では、ヒンジピン３は使用者が座る状態（便蓋５：開、便座４：閉）において抜け易い状況にあったが、本発明では、図３（ａ）に示すように、便蓋５が開の時は便蓋５自体の自重により、便蓋５は下方向Ａへ押しつけられており、段落ち溝８に嵌合した状態で保持される。ヒンジピン３を外す場合は、図３（ｂ）に示すように、便蓋５を矢印Ｂで示すように、少し持ち上げて、ヒンジピン３を引けば簡単に外れる。従って、従来例に示したような抜け止めバネと抜け止めバネ固定ネジの各部品が不要となり、コストダウンを図ることができる。
【００１３】
また本例ではヒンジピン３の一部に、便蓋５が開状態で且つ便座４が閉状態のときに上方に向く平面部１０を形成し、この平面部１０に段落ち溝８が形成されている。これにより便蓋５を開き、便座４に座ったときに、便蓋５のヒンジ部穴７が上向きとなった平面部１０の段落ち溝８内に確実に嵌り込むようになり、しかも平面部１０によって段落ち溝８の溝幅寸法が広くなることで、段落ち溝８とヒンジ部穴７との嵌合強度を高めることができ、ヒンジピン３の抜けをより確実に防止できるようになる。さらに平面部１０は、ピン本体部９の２面以上に対称的に形成されているので、ヒンジピン３を上下どちらの方向に向けて挿入しても、便蓋５を開き、便座４に座ったときにはピン本体部９の２面以上に設けた平面部１０のどれかが上向きとなる。従って、便蓋５のヒンジ部穴７が平面部１０に設けた段落ち溝８内に確実に嵌り込むようになり、ヒンジピン３の取り付けミスをなくすことができ、使用性が良くなる。
【００１４】
図４、図５はヒンジピン３の断面形状がそれぞれ円形の場合を示している。図４では全周に段落ち溝８が形成され、図５では一部に段落ち溝８が形成されている。すなわち、便蓋５が開状態の時にこの段落ち溝８の向きが上面側になる方向であれば、特に平面上に形成する必要はない。特に図４の場合、どちらの面を上にしても良いように、ヒンジピン３の全周に段落ち溝８を設けてあるので、段落ち溝８による抜け止めの確実性を高めることができる。
【００１５】
以上説明は便蓋５のヒンジ部穴７が段落ち溝８に嵌合する場合について説明したが、もちろん、便座４のヒンジ部穴６が段落ち溝８に嵌合するようにしてもよいものである。この場合、便座４の重量は便座４の足ゴムとこのヒンジピン３に加わっているので、便座４のヒンジ部穴６がヒンジピン３の段落ち溝８に嵌り込み易くなる。
【００１６】
本発明の便座装置１はダンパー装置２０を持たない便座装置１にも広く適用されるものである。なお、ダンパー装置２０を持たない便座装置１の場合にあっては、ヒンジピン３の断面形状、便座４及び便蓋５の各ヒンジ部穴６，７は円形であってもよく、少なくともヒンジピン３の一部に段落ち溝８を備えていればよいものである。
【００１７】
【発明の効果】
上記のように本発明のうち請求項１記載の発明は、本体ケース側の嵌合穴に挿入されるヒンジピンを介して便座と便蓋とを本体ケースに回動支持してなる便座装置において、便座及び便蓋の各ヒンジ部穴を貫通するヒンジピンの一部に、便座のヒンジ部穴又は便蓋のヒンジ部穴のいずれか一方が嵌り込む段落ち溝を形成してなるので、便座のヒンジ部穴又は便蓋のヒンジ部穴の一方が段落ち溝内に嵌り込むことによって、ヒンジピンが容易に抜け出ないようにすることができる。またヒンジピンを外す場合は、便座、便蓋のうちの段落ち溝に嵌合している方を少し持ち上げてヒンジピンを引くだけで簡単に外すことができる。従って、従来例に示す抜け止めバネと抜け止めバネ固定ネジの各部品が不要となり、コストダウンを図ることができる。
【００１８】
また請求項２記載の発明は、請求項１記載の効果に加えて、ヒンジピンの一部に、便蓋が開状態で且つ便座が閉状態のときに上方に向く平面部を形成し、この平面部に段落ち溝を形成したので、便蓋を開き、便座に座ったときに、便蓋のヒンジ部穴又は便座のヒンジ部穴が平面部に設けた段落ち溝内に嵌り易くなり、しかも平面部によって段落ち溝の溝幅寸法が広くなり、段落ち溝とヒンジ部穴との嵌合強度を高めることができ、ヒンジピンの抜けをより確実に防止できるようになる。
【００１９】
また請求項３記載の発明は、請求項２記載の効果に加えて、平面部がヒンジピンの２面以上に対称的に形成されているので、ヒンジピンを上下どちらの方向に向けて挿入しても、便蓋を開き、便座に座ったときにはヒンジピンの２面以上に設けた平面部のどれかが上向きとなり、便蓋のヒンジ部穴又は便座のヒンジ部穴のいずれかが平面部に設けた段落ち溝内に確実に嵌り込むようになり、ヒンジピンの取り付けミスをなくすことができ、使用性が良くなる。
【図面の簡単な説明】
【図１】本発明の実施形態の一例を示す分解斜視図である。
【図２】（ａ）は同上のヒンジピンの斜視図、（ｂ）は（ａ）のＣ−Ｃ線断面図である。
【図３】（ａ）はヒンジピンの抜け止め状態の断面図、（ｂ）はヒンジピンを抜く場合の断面図である。
【図４】（ａ）はヒンジピンの他例の斜視図、（ｂ）は（ａ）のＤ−Ｄ線断面図である。
【図５】（ａ）はヒンジピンの更に他例の斜視図、（ｂ）は（ａ）のＥ−Ｅ線断面図である。
【図６】従来の斜視図である。
【図７】従来の分解斜視図である。
【符号の説明】
１  便座装置
２  本体ケース
３  ヒンジピン
４  便座
５  便蓋
６，７  ヒンジ部穴
８  段落ち溝
１０  平面部
【図１】
0003705001.tif 000002
【図２】
0003705001.tif 000003
【図３】
0003705001.tif 000004
【図４】
0003705001.tif 000005
【図５】
0003705001.tif 000006
【図６】
0003705001.tif 000007
【図７】
0003705001.tif 000008